(57)【特許請求の範囲】
【請求項１】
ベース板と、
このベース板上に回転自在に配置され、コインが１枚ずつ入り込む繰出用開口部を有する回転円板と、
前記ベース板上で回転円板の周囲の一部に設けられ、回転円板の回転によって繰出用開口部に入り込んで送られてくるコインが１枚ずつ繰り出される繰出経路と、
前記ベース板上で前記回転円板の回転方向下流側である繰出経路の一側に設けられた第１の案内部材と、
前記ベース板上で前記回転円板の回転方向上流側である繰出経路の他側に着脱可能に取り付けられ、第１の案内部材に対向する側面に案内面を有するとともにこの案内面の形状が処理するコインの直径に対応して異なる複数種類があってそれらのうちの処理するコインの直径に対応した１つが選択された第２の案内部材と、
前記回転円板の回転方向上流側である前記繰出経路の他側でその繰出経路を介して前記第１の案内部材に対向する位置に配置されるとともにその第１の案内部材との間隔が拡縮可能でかつ第１の案内部材との間隔が狭まる方向へ付勢された付勢部材と、
この付勢部材が設けられ、前記ベース板に着脱可能に取り付けられる取付部材と、
この取付部材を選択された前記第２の案内部材の種類に対応した位置に位置決めする位置決め手段と
を具備していることを特徴とするコイン繰出装置。
【請求項２】
ベース板には第２の案内部材を位置決めするベース板側位置決め部が設けられ、
第２の案内部材にはベース板のベース板側位置決め部に位置決めされるベース板用位置決め部が設けられるとともに第２の案内部材の種類に対応した位置に取付部材を位置決めする取付部材用位置決め部が設けられ、
取付部材に第２の案内部材の取付部材用位置決め部に位置決めされる取付部材側位置決め部が設けられている
ことを特徴とする請求項１記載のコイン繰出装置。
【請求項３】
取付部材は、ベース板の下面側に配置され、一端に取付部材側位置決め部が設けられるとともに、他端に一方の案内部材と付勢部材との間隔が拡縮される方向に対応して長い取付用長孔が設けられ、第２の案内部材の取付部材用位置決め部およびベース板を通じて取付部材の取付部材側位置決め部に螺着される結合ねじによって第２の案内部材と共締めしてベース板に取り付けられるとともに、取付用長孔を通じてベース板に螺着される取付ねじによってベース板に取り付けられている
ことを特徴とする請求項２記載のコイン繰出装置。
【発明の詳細な説明】
【０００１】
【発明の属する技術分野】
本発明は、コインを１枚ずつ繰り出すコイン繰出装置に関する。
【０００２】
【従来の技術】
従来、この種のコイン繰出装置は、例えば、特開平１０−６９５５６号公報に記載されているように、ベース板上にコインが１枚ずつ入り込む複数の貫通孔を有する回転円板が回転自在に配置されているとともに、ベース板上で回転円板の周囲の１箇所に回転円板の回転にて貫通孔に入り込んで送られてくるコインが１枚ずつ繰り出される繰出経路が設けられている。
【０００３】
回転する回転円板の貫通孔に入り込んだコインは、回転円板の裏面に設けられた突起とベース板から突出するストッパ部材とによって外方の繰出経路へ向けて案内されながら押し出される。押し出されるコインは、繰出経路の一側であって回転円板の回転方向の上流側に位置される案内部材と繰出経路の他側であって回転円板の回転方向の下流側に位置される付勢部材との間に挟まれてその付勢部材を押し広げながら押し出されるとともに、付勢部材の復帰動作によって外方へ弾き出される。
【０００４】
【発明が解決しようとする課題】
このようなコイン繰出装置においては、取り扱うコインの直径に対応して、ストッパ部材、案内部材および付勢部材の位置関係が決まっている。すなわち、異なる直径のコインを処理しようと場合、各部材の位置を個別に調整する必要がある。具体的には、各部材に設けられた長孔を通じてベース板上に取り付けられる取付ねじを緩めた状態にして、各部材を長孔に沿ってスライドさせ、所定の位置で取付ねじを締めている。
【０００５】
しかし、ところが、各部材を長孔と取付ねじとによって位置調整することは、作業性が悪く、作業者によって位置調整の結果にばらつきが生じたり、コイン繰出装置の設置先では正確に作業しにくい問題がある。
【０００６】
本発明は、このような点に鑑みなされたもので、処理するコインの直径に対応する各部材の位置調整を容易かつ正確にできるコイン繰出装置を提供することを目的とする。
【０００７】
【課題を解決するための手段】
請求項１記載のコイン繰出装置は、ベース板と、このベース板上に回転自在に配置され、コインが１枚ずつ入り込む繰出用開口部を有する回転円板と、前記ベース板上で回転円板の周囲の一部に設けられ、回転円板の回転によって繰出用開口部に入り込んで送られてくるコインが１枚ずつ繰り出される繰出経路と、前記ベース板上で前記回転円板の回転方向下流側である繰出経路の一側に設けられた第１の案内部材と、前記ベース板上で前記回転円板の回転方向上流側である繰出経路の他側に着脱可能に取り付けられ、第１の案内部材に対向する側面に案内面を有するとともにこの案内面の形状が処理するコインの直径に対応して異なる複数種類があってそれらのうちの処理するコインの直径に対応した１つが選択された第２の案内部材と、前記回転円板の回転方向上流側である前記繰出経路の他側でその繰出経路を介して前記第１の案内部材に対向する位置に配置されるとともにその第１の案内部材との間隔が拡縮可能でかつ第１の案内部材との間隔が狭まる方向へ付勢された付勢部材と、この付勢部材が設けられ、前記ベース板に着脱可能に取り付けられる取付部材と、この取付部材を選択された前記第２の案内部材の種類に対応した位置に位置決めする位置決め手段とを具備しているものである。
【０００８】
そして、この構成では、コイン繰出動作時において、回転する回転円板の繰出用開口部に入り込んで送られてくるコインは、第１の案内部材と第２の案内部材との間を通じて繰出経路へ案内され、第１の案内部材と付勢部材との間に挟まれてその付勢部材を押し広げながら押し出されるとともに、付勢部材の復帰動作によって繰出経路の下流側へ弾き出される。
【０００９】
また、処理するコインの直径に対応して各部材の位置調整をするときには、処理するコインの直径に対応する第２の案内部材を選択してベース板に取り付け、この第２の案内部材に対して付勢部材を設けた取付部材を位置決め手段によって第２の案内部材の種類に対応した位置に位置決めすることにより、第２の案内部材の案内面および付勢部材がそれぞれ適正な位置に配置され、第１の案内部材、第２の案内部材の案内面および付勢部材の互いの位置関係が適正に設定される。
【００１０】
請求項２記載のコイン繰出装置は、請求項１記載のコイン繰出装置において、ベース板には第２の案内部材を位置決めするベース板側位置決め部が設けられ、第２の案内部材にはベース板のベース板側位置決め部に位置決めされるベース板用位置決め部が設けられるとともに第２の案内部材の種類に対応した位置に取付部材を位置決めする取付部材用位置決め部が設けられ、取付部材に第２の案内部材の取付部材用位置決め部に位置決めされる取付部材側位置決め部が設けられているものである。
【００１１】
そして、この構成では、第２の案内部材のベース板用位置決め部をベース板のベース板側位置決め部に位置決めして定位置に取り付け、取付部材の取付部材側位置決め部を第２の案内部材の取付部材用位置決め部に位置決めして取り付けるだけで、第１の案内部材、第２の案内部材および付勢部材の互いの位置関係が適正に設定される。
【００１２】
請求項３記載のコイン繰出装置は、請求項２記載のコイン繰出装置において、取付部材は、ベース板の下面側に配置され、一端に取付部材側位置決め部が設けられるとともに、他端に一方の案内部材と付勢部材との間隔が拡縮される方向に対応して長い取付用長孔が設けられ、第２の案内部材の取付部材用位置決め部およびベース板を通じて取付部材の取付部材側位置決め部に螺着される結合ねじによって第２の案内部材と共締めしてベース板に取り付けられるとともに、取付用長孔を通じてベース板に螺着される取付ねじによってベース板に取り付けられているものである。
【００１３】
そして、この構成では、結合ねじを第２の案内部材の取付部材用位置決め部およびベース板を通じて取付部材の取付部材側位置決め部に螺着することにより、第２の案内部材と取付部材とを共締めして一体的にベース板に取り付けられるとともに、取付ねじを取付部材の取付用長孔を通じてベース板に螺着することにより、取付部材を位置調整可能にベース板に取り付けられる。
【００１４】
【発明の実施の形態】
以下、本発明の一実施の形態を図面を参照して説明する。
【００１５】
図１はコイン繰出装置の分解状態の平面図、図２はコイン繰出装置の大設定時における組立状態の平面図、図３はコイン繰出装置の中設定時における組立状態の平面図、図４はコイン繰出装置の小設定時における組立状態の平面図である。
【００１６】
本実施の形態のコイン繰出装置11は、自動販売機、両替機、遊技媒体の貸出機などに内蔵される硬貨繰出装置であり、コインとして所定の金種の硬貨が貯留されるとともに指示された枚数の硬貨を１枚ずつ繰り出す。硬貨については、直径２３．５ｍｍの１０円硬貨、直径２１ｍｍの５０円硬貨、直径２２．６ｍｍの１００円硬貨、および直径２６．５ｍｍの５００円硬貨に対応可能としており、１円および５円硬貨については自動販売機などで処理されることがないので対応していない。
【００１７】
コイン繰出装置11は、ベース板12を有し、このベース板12上に回転円板13が回転自在に配置され、この回転円板13の周囲上方に硬貨を貯留するとともに回転円板13上に導く図示しないホッパが配置され、ベース板12上で回転円板13の周囲の１箇所に硬貨を１枚ずつ繰り出す繰出口14を有する繰出経路15が設けられている。
【００１８】
回転円板13は、ベース板12を貫通する駆動軸17の上端に固定され、図示しない駆動部としてのモータによって駆動軸17と一体に繰出回転方向Ｆへ回転駆動されるもので、５００円用の大径硬貨用回転円板13L、および１０円、５０円および１００円用に共用の小径硬貨用回転円板13Sを有し、処理する硬貨の直径に応じていずれかが用いられる。
【００１９】
小径硬貨用回転円板13Sの周縁部には、小径硬貨用回転円板13Sの上面から下面に貫通開口される繰出用開口部として複数の貫通孔18が円周方向に等間隔に形成されている。本実施の形態では、貫通孔18の直径が処理対象とする１０円、５０円および１００円硬貨の直径よりやや大きく、貫通孔18の数が５個とされており、各貫通孔18内に水平状態の１０円、５０円および１００円硬貨が１枚ずつ入り込むように構成されている。
【００２０】
大径硬貨用回転円板13Lには、大径硬貨用回転円板13Lの上面から下面に貫通開口される繰出用開口部として複数の貫通孔18が円周方向に等間隔に形成されている。本実施の形態では、貫通孔18の直径が５００円硬貨の直径よりやや大きく、貫通孔18の数が４個とされており、各貫通孔18内に水平状態の５００円硬貨が１枚ずつ入り込むように構成されている。
【００２１】
回転円板13の下面には、各貫通孔18の厚み方向の下部域から回転円板13の外径部まで連通開口されるとともに回転円板13の繰出回転方向Ｆと反対側へ向けて傾斜される繰出溝19が形成されている。回転円板13の貫通孔18および繰出溝19以外の部分とベース板12の上面との間隔は硬貨の厚みより小さい間隔に設定されるとともに、回転円板13の繰出溝19の部分とベース板12の上面との間隔は硬貨の１枚分の厚みより大きく２枚分の厚みより小さく、硬貨が１枚ずつ通過可能な寸法に設定されている。
【００２２】
隣り合う繰出溝19の各間には、回転円板13の繰出回転方向Ｆと反対方向にヘ向けてその方向の貫通孔18の外周に沿った円弧状の押出部20が放射状に形成され、これら押出部20には回転円板13の同一円周位置に対応して複数の切欠溝21が形成されている。
【００２３】
また、回転円板13の周囲には、繰出口14の領域を除いて、回転円板13の繰出溝19からの硬貨の飛び出しを規制する図示しない周壁部が配置されている。
【００２４】
また、繰出口14の付近位置において、回転円板16の下面に対向する位置には、回転円板13の回転によって貫通孔18に入り込んで送られてくる硬貨を繰出口14ヘ向けて誘導するストッパ部材24が配置されている。このストッパ部材24は、べース板12に形成されたストッパ部材用開口25を通じてベース板12上に下方から突出する突出位置とベース板12上から下方へ退避する退避位置との間を進退可能としており、突出位置をとるように図示しないスプリングなどのストッパ部材付勢手段によって付勢されている。ベース板12上に突出するストッパ部材の位置は、回転円板13の押出部20の切欠溝21内に進入する位置にあり、突出位置にあるストッパ部材24が回転円板13と干渉しないように構成されている。
【００２５】
また、ベース板12上の繰出経路15の一側であって回転円板13の繰出回転方向Ｆの下流側には、回転円板13から押し出されてくる硬貨を繰出経路15に案内する第１の案内部材28が配設されている。この第１の案内部材28は、ベース板12上に立設されるローラ軸29に回転自在の固定ローラ30を有している。
【００２６】
また、べース板12上の繰出経路15の他側であって回転円板13の繰出回転方向Ｆの上流側には、第１の案内部材28と対向して回転円板13から押し出されてくる硬貨を繰出経路15に案内する第２の案内部材33、および第１の案内部材28との間隔が拡縮可能でかつ第１の案内部材28との間隔が狭まる方向へ付勢された付勢部材34が配置されている。付勢部材34はベース板12の下面に位置調整可能に取り付けられる取付部材35に取り付けられており、これらによって調整ユニット36が構成されている。
【００２７】
第２の案内部材33は、処理する硬貨の直径に対応して形状が異なる３種類を有し、すなわち、大径硬貨の５００円用の案内板33L、中径硬貨の１０円および１００円用の案内板33M、小径硬貨の５０円用の案内板33Sを有し、処理する硬貨の種類に応じていずれか１つが用いられる。これら案内板33L，33M，33Sにはベース板12側に突出する凸状で複数のベース板用位置決め部としてのダボ39が形成され、これらダボ39がベース板12の上面に凹状に形成される複数のベース側位置決め部としてのダボ孔40に係合することにより、案内板33L，33M，33Sがベース板12に位置決めされる。案内板33L，33M，33Sには、複数のダボ39を基準として、取付部材35を位置決めするとともに取付部材35と共締めしてベース板12に固定するための取付部材用位置決め部としてのねじ孔41が形成されているとともに、固定ローラ30に臨む側面に回転円板13から押し出される硬貨を付勢部材34に案内する案内面42が形成されている。各案内板33L，33M，33Sに形成されるねじ孔41は硬貨の種類に応じた固定ローラ30に対する付勢部材34の対向位置に対応して異なる位置に形成されているとともに、案内面42は硬貨の種類に応じた固定ローラ30との対向間隔に対応して異なる形状つまり膨らみ具合に形成されている。
【００２８】
付勢部材34は、ローラ軸45に回転自在の払出ローラ46を有し、この払出ローラ46のローラ軸45が取付部材35の縁に形成されたローラ軸用切欠部47を通じて取付板材35の下面側に配置される揺動部材48に先端に軸支されている。揺動部材48の基端は揺動軸49によって取付部材35に軸支され、揺動部材48と取付部材35との間に払出ローラ46を固定ローラ30との間隔が狭まる方向に付勢する付勢手段としての引張ばね50が張設されている。払出ローラ46は、調整ユニット36の取付位置に対応してベース板12の縁に形成された払出ローラ用切欠部51を通じてベース板12上に突出され、固定ローラ30との間隔が拡縮可能でかつ固定ローラ30との間隔が狭まる方向へ付勢され、固定ローラ30に最も接近したときの間隔は処理する硬貨の直径より小さい寸法となるように設定されている。
【００２９】
取付部材35は、ベース板12の下面に接合状態に取り付けられるもので、一端に取付部材側位置決め部としての位置決め孔54が形成されており、この位置決め孔54およびベース板12に設けられた取付孔55を通じて第２の案内部材33のねじ孔41に螺着する結合ねじ56によって、第２の案内部材33と共締めされて取付部材35の一端側がベース板12に取り付けられる。位置決め孔54は取付部材35を第２の案内部材33の種類に対応した位置に位置決めする位置決め手段57として構成され、取付孔55は第２の案内部材33の各種類に応じた結合ねじ56の挿通位置に対応して長孔状に形成されている。
【００３０】
取付部材35の他端には、固定ローラ30と払出ローラ46との間隔が拡縮される方向に対応して長い取付用長孔58が形成されており、この取付用長孔58を通じて調整ユニット36の取付位置に対応してベース板12に設けられたねじ孔59に螺着する取付ねじ60によって、取付部材35の他端側がベース板12に取り付けられる。
【００３１】
また、ベース板12上には、繰出経路15を通じて繰り出される硬貨を計数するための例えばホトインタラプタなどの計数センサ63が配設されている。
【００３２】
次に、本実施の形態の作用を説明する。
【００３３】
まず、次の表１に示すように、処理する硬貨の種類に応じてコイン繰出装置11を設定する。
【００３４】
【表１】
0004040859.tif 000002
【００３５】
つまり、図２に示すように、５００円硬貨を処理する場合には、大設定とし、大径硬貨用回転円板13Lを選択して取り付けるとともに、第２の案内部材33として大径硬貨用の案内板33Lを選択して取り付ける。また、図３に示すように、１０円硬貨または１００円硬貨を処理する場合には、中設定とし、小径硬貨用回転円板13Sを選択して取り付けるとともに、第２の案内部材33として中径硬貨用の案内板33Mを選択して取り付ける。図４に示すように、５０円硬貨を処理する場合には、小設定とし、小径硬貨用回転円板13Sを選択して取り付けるとともに、第２の案内部材33として小径硬貨用の案内板33Sを選択して取り付ける。
【００３６】
そして、図２に示す大設定が選択されたときの案内板33Lの取付手順を説明する。
【００３７】
案内板33Lの各ダボ39をベース板12の各ダボ孔40に係合して位置決めし、ベース板12上に位置決め載置する。これにより、処理する硬貨に対応する適正な位置に案内板33Lの案内面42が位置決めされるとともに、案内板33Lのねじ孔41がベース板12の取付孔55に位置決めされる。
【００３８】
調整ユニット36の取付部材35をベース板12の下面に配置し、取付部材35の位置決め孔54とベース板12の取付孔55および案内板33Lのねじ孔41とを位置決めし、取付部材35の下側から結合ねじ56を取付部材35の位置決め孔54およびベース板12の取付孔55を通じて案内板33Lのねじ孔41に締め付けるまで螺着せずに軽く螺着して仮止めする。
【００３９】
結合ねじ56を中心として取付部材35を回動させながら取付部材35の取付用長孔58とべース板12のねじ孔59とを位置決めし、取付部材35の下側から取付ねじ60を取付部材35の取付用長孔58を通じてベース板12のねじ孔59に螺着して締め付け、取付部材35の他端側をベース板12に固定する。
【００４０】
結合ねじ56を締め付け、取付部材35の一端側を案内板33Lと共締めしてベース板12に固定する。これにより、取付部材35がベース板12に対して位置決めされ、ベース板35に取り付けられている払出ローラ46が硬貨の直径に対応する適正な位置に位置決めされる。
【００４１】
また、図３に示す中設定が選択されたときの案内板33Mの取付手順、および図４に示す小設定が選択されたときの案内板33Sの取付手順とも同様である。
【００４２】
次に、硬貨の繰出動作について説明する。この硬貨の繰出動作は、各種類の硬貨とも同様である。
【００４３】
回転円板13を繰出回転方向Ｆに回転させることにより、図示しないホッパから回転円板13上に導かれていて回転円板13上で水平状態にある硬貨が回転円板13の各貫通孔18に入り込む。
【００４４】
各貫通孔18に入り込んだ硬貨は、ベース板12の上面に接合して回転円板13と一体的に摺動移動するとともに、回転円板13の回転による遠心力によって外径方向へ移動して繰出溝19内に厚み方向１枚状態で入り込む。
【００４５】
硬貨が入り込んだ貫通孔18が繰出口14の領域を除く位置にあるときには、繰出口14の領域を除いて回転円板13の周囲に配置されている図示しない周壁部によって回転円板13の繰出溝19からの硬貨の飛び出しが規制され、回転円板13とともに硬貨が回転移動する。
【００４６】
硬貨が入り込んだ貫通孔18が繰出口14の領域に送られてくることにより、送られてきた硬貨は、周壁部がなくなることで遠心力によって繰出溝19の外径方向へ移動しつつ、ベース板12から突出するストッパ部材24に当接して移動方向が繰出口14へ向けて誘導されるとともに、繰出回転方向Ｆの上流側の押出部20によって繰出口14へ向けて押し出される。
【００４７】
繰出口14へ押し出される硬貨は、固定ローラ30と第２の案内部材33の案内面42との間に進入し、第２の案内部材33の案内面42によって固定ローラ30と払出ローラ46との間に導かれる。
【００４８】
固定ローラ30と払出ローラ46との間に導かれた硬貨は、払出ローラ46と固定ローラ30との間隔が処理する硬貨の直径より小さくなる位置に払出ローラ46が引張ばね50で付勢されているため、付勢に抗して払出ローラ46を押し広げながら押し出される。
【００４９】
硬貨の最大直径部が固定ローラ30と払出ローラ46との間から押し出されることにより、払出ローラ46の引張ばね50の付勢による復帰動作によって硬貨が繰出経路15の下流側へ弾き出される。
【００５０】
このようにして、回転円板13の硬貨が入り込んだ各貫通孔18が繰出口14の領域に到達する毎に、ストッパ部材24と押出部20との作用によって硬貨が繰出口14へ押し出され、この硬貨を第２の案内部材33の案内面42によって固定ローラ30と払出ローラ46との間へ導くとともに、払出ローラ46の作用によって硬貨を繰出経路15の下流側へ弾き出し、硬貨を１枚ずつ繰り出す。
【００５１】
以上のように、処理する硬貨の直径に対応する第２の案内部材33を選択してベース板12に取り付け、この第２の案内部材33に対して払出ローラ46を設けた取付部材35を位置決め手段57によって第２の案内部材33の種類に対応した位置に位置決めすることにより、第２の案内部材33の案内面42および払出ローラ46をそれぞれ適正な位置に配置し、固定ローラ30、第２の案内部材33の案内面42および払出ローラ46の互いの位置関係を適正に設定できる。そのため、処理する硬貨の直径に対応して各部材の位置を設定する際に細かい位置調整が不要で、位置調整を容易にできるとともに、作業者による位置調整のばらつきをなくすことができ、しかも、第２の案内部材33を複数種類用意するだけで処理する硬貨の直径の変更に容易に対応できる。
【００５２】
さらに、第２の案内部材33のダボ39をベース板12のダボ孔40に位置決めして定位置に取り付け、取付部材35の位置決め孔54を第２の案内部材33のねじ孔41に結合ねじ56で取り付けるだけで、固定ローラ30、第２の案内部材33の案内面42および払出ローラ46の互いの位置関係を適正に設定でき、位置調整を容易かつ確実にできる。
【００５３】
さらに、結合ねじ56を第２の案内部材33の位置決め孔54およびベース板12の取付孔55を通じて取付部材35のねじ孔41に螺着することにより、第２の案内部材33と取付部材35とを共締めして一体的にベース板12に取り付けることができるとともに、取付ねじ60を取付部材35の取付用長孔58を通じてベース板12のねじ孔59に螺着することにより、取付部材35を位置調整可能にベース板12に取り付けることができる。
【００５４】
なお、前記実施の形態では、第２の案内部材33にダボ39を、ベース板12にダボ孔40を設けて位置決めしたが、第２の案内部材33にダボ孔を、ベース板12にダボを設けて位置決めしてもよく、あるいは、ダボとダボ孔との位置決め構造以外の位置決め構造を用いて位置決めしてもよい。
【００５５】
また、回転円板13の繰出用開口部は、貫通孔18に限らず、例えば繰出溝19の部分も上下に開口されて回転円板13の外径部まで連通した溝部に形成してもよい。この場合、繰出口14の領域に、溝部内に入り込んでベース板12上に接する厚み方向１枚の硬貨のみが繰出口14側に繰出可能とする厚み規制部材を用いることにより、繰出口14へ硬貨を１枚ずつ繰り出すことができる。
【００５６】
また、第１の案内部材28は、回転自在とした固定ローラ30に限らず、回転しないローラ、ピン、案内板などを用いても、同様の作用効果を奏する。
【００５７】
また、コイン繰出装置11が取り扱うコインは、硬貨に限らず、遊戯機器で用いられるメダルの場合にも適用でき、同様の作用効果を奏する。特に、スロット製パチンコ機（いわゆるパチスロ機）に利用される遊技用メダルには、直径が異なる２種類のメダル（直径２５ｍｍと直径３０ｍｍ）があるが、いずれの遊技用メダルに対しても容易に対応できる。
【００５８】
【発明の効果】
請求項１記載のコイン繰出装置によれば、処理するコインの直径に対応する第２の案内部材を選択してベース板に取り付け、この第２の案内部材に対して付勢部材を設けた取付部材を位置決め手段によって第２の案内部材の種類に対応した位置に位置決めすることにより、第２の案内部材の案内面および付勢部材をそれぞれ適正な位置に配置し、第１の案内部材、第２の案内部材の案内面および付勢部材の互いの位置関係を適正に設定できるため、処理するコインの直径に対応して各部材の位置を設定する際に細かい位置調整が不要で、位置調整を容易にできるとともに、作業者による位置調整のばらつきをなくすことができ、しかも、第２の案内部材を複数種類用意するだけで処理するコインの直径の変更に容易に対応できる。
【００５９】
請求項２記載のコイン繰出装置によれば、請求項１記載のコイン繰出装置の効果に加えて、第２の案内部材のベース板用位置決め部をベース板のベース板側位置決め部に位置決めして定位置に取り付け、取付部材の取付部材側位置決め部を第２の案内部材の取付部材用位置決め部に位置決めして取り付けるだけで、第１の案内部材、第２の案内部材および付勢部材の互いの位置関係を適正に設定でき、位置調整を容易かつ確実にできる。
【００６０】
請求項３記載のコイン繰出装置によれば、請求項２記載のコイン繰出装置の効果に加えて、結合ねじを第２の案内部材の取付部材用位置決め部およびベース板を通じて取付部材の取付部材側位置決め部に螺着することにより、第２の案内部材と取付部材とを共締めして一体的にベース板に取り付けることができるとともに、取付ねじを取付部材の取付用長孔を通じてベース板に螺着することにより、取付部材を位置調整可能にベース板に取り付けることができる。
【図面の簡単な説明】
【図１】本発明の一実施の形態を示すコイン繰出装置の分解状態の平面図である。
【図２】同上コイン繰出装置の大設定時における組立状態の平面図である。
【図３】同上コイン繰出装置の中設定時における組立状態の平面図である。
【図４】同上コイン繰出装置の小設定時における組立状態の平面図である。
【符号の説明】
11    コイン繰出装置
12    ベース板
13，13L，13S    回転円板
15    繰出経路
18    繰出用開口部としての貫通孔
28    第１の案内部材
33    第２の案内部材
34    付勢部材
35    取付部材
39    ベース板用位置決め部としてのダボ
40    ベース板側位置決め部としてのダボ孔
41    取付部材用位置決め部としてのねじ孔
42    案内面
54    取付部材側位置決め部としての位置決め孔
56    結合ねじ
57    位置決め手段
58    取付用長孔
60    取付ねじ
【図１】
0004040859.tif 000003
【図２】
0004040859.tif 000004
【図３】
0004040859.tif 000005
【図４】
0004040859.tif 000006